(57)【要約】【課題】異極間距離を一定以上に確保し、かつ小型化を実現可能な電子部品を提供する。【解決手段】コンデンサ２と、第１コア４及び第２コアと、金属フレーム端子３とを有するノイズフィルタ１に、更に平面上の板部６Ａを有する端子６が備えられている。端子６は、第１縁部６ａと第２縁部６ｂとを有し、第１縁部６ａと第２縁部６ｂとは、各縁部の略中心に向って凹形状に形成されている。これにより、各縁部と金属フレーム端子３の各先端部３Ｂ３との間の距離（異極間距離）を確保することができる。【選択図】図３
2005303207.tif 000002
【特許請求の範囲】
【請求項１】
一対の外部電極を有するチップ部品と、
少なくとも一方向に開口するスペースを提供し、該スペースに該チップ部品を収容し、貫通部を有するコアと、
貫通部に貫通し、該チップ部品の一方の外部電極と接合する金属フレーム端子とを備える電子部品であって、
該チップ部品の他方の該外部電極と接合する平面状の板部を有する端子を更に備え、
該板部は、該一対の外部電極が対向する方向に直交する該スペースの深さ方向に延びる第１縁部と第２縁部とを有し、
該第１縁部と該第２縁部とは、該第１縁部及び該第２縁部の略中心に向って凹形状に形成されることを特徴とする電子部品。
【請求項２】
該コアは、第１コアと、第２コアとに分割して構成され、該第１コア及び該第２コアには、それぞれ貫通部が形成されていることを特徴とする請求項１に記載の電子部品。
【請求項３】
該金属フレーム端子の両端部は、該板部と略同一平面上に位置することを特徴とする請求項１に記載の電子部品。
【請求項４】
該端子は、該コアに当接し、該端子の該チップ部品に対する位置ずれを防止する位置ずれ防止片を有することを特徴とする請求項３に記載の電子部品。
【請求項５】
該端子は、該一対の外部電極が対向する方向に直交し該スペースの深さ方向に指向する該コアの一対の外面をかしめるかしめ片を有することを特徴とする請求項３に記載の電子部品。
【請求項６】
該金属フレーム端子の両端部は、互いに近づくように曲げられ、該第１縁部又は該第２縁部に対向することを特徴とする請求項３に記載の電子部品。
【請求項７】
該第１縁部及び該第２縁部は、該金属フレーム端子の両端縁から一定間隔の形状であることを特徴とする請求項６に記載の電子部品。
【発明の詳細な説明】
【技術分野】
【０００１】
本発明は、表面実装側においてチップ部品と接合する端子を有する電子部品に関する。
【背景技術】
【０００２】
従来から、表面実装が可能な電子部品の様々な形状が提案されている。例えば、一対の腕部と一対の貫通穴を有する基部とからなるＵ字状のコアの一対の腕部間にチップコンデンサを配置し、金属フレーム端子にチップコンデンサの一方の電極をハンダ付けし、別の端子にチップコンデンサの他方の電極をハンダ付けし、当該別の端子を電子部品の実装面側に延設し、金属フレーム端子の一対の脚部を各貫通穴を介して実装面側まで延設して表面実装可能な電子部品を提案されている（例えば、特許文献１参照）。
【０００３】
また、一対の外部電極を有するチップコンデンサを、貫通穴を有する一対のコアによって挟み込み、金属フレーム端子の一対の脚部を各貫通穴に貫通させて、各貫通穴から突き出た先端部を互いに離間する方向に曲げコアに当接させて表面実装可能な電子部品を提供しているものもある（例えば、特許文献２参照）。
【０００４】
【特許文献１】実開平１−８６７１５号公報
【特許文献２】実開平４−５５８２７号公報
【発明の開示】
【発明が解決しようとする課題】
【０００５】
しかし、従来の電子部品では、実装面側において、別の端子又は外部電極の金属フレーム端子に対向する各縁部が直線状であるため、電子部品の基板への実装時に電子部品が実装位置からずれた場合、近接する基板のランドパターンに接触する可能性があった。更に、端子の各縁部と金属フレーム端子との間の距離（異極間距離）を一定の距離以上に確保する必要があるため、電子部品の小型化を図ることが困難であった。
【０００６】
そこで、本発明は、異極間距離を一定以上に確保し、かつ小型化が実現可能な電子部品を提供することを目的とする。
【課題を解決するための手段】
【０００７】
上記目的を達成するために、本発明は、一対の外部電極を有するチップ部品と、少なくとも一方向に開口するスペースを提供し、該スペースに該チップ部品を収容し、貫通部を有するコアと、貫通部に貫通し、該チップ部品の一方の外部電極と接合する金属フレーム端子とを備える電子部品であって、該チップ部品の他方の該外部電極と接合する平面状の板部を有する端子を更に備え、該板部は、該一対の外部電極が対向する方向に直交する該スペースの深さ方向に延びる第１縁部と第２縁部とを有し、該第１縁部と該第２縁部とは、該第１縁部及び該第２縁部の略中心に向って凹形状に形成される電子部品を提供している。
【０００８】
ここで、該コアは、第１コアと、第２コアとに分割して構成され、該第１コア及び該第２コアには、それぞれ貫通部が形成されていることが好ましい。
【０００９】
更に、該金属フレーム端子の両端部は、該板部と略同一平面上に位置することが好ましい。
【００１０】
また、該端子は、該コアに当接し、該端子の該チップ部品に対する位置ずれを防止する位置ずれ防止片を有することが好ましい。
【００１１】
また、該端子は、該一対の外部電極が対向する方向に直交し該スペースの深さ方向に指向する該コアの一対の外面をかしめるかしめ片を有することが好ましい。
【００１２】
また、該金属フレーム端子の両端部は、互いに近づくように曲げられ、該第１縁部又は該第２縁部に対向することが好ましい。
【００１３】
また、該第１縁部及び該第２縁部は、該金属フレーム端子の両端縁から一定間隔の形状であることが好ましい。  
【発明の効果】
【００１４】
本発明の請求項１及び２に記載の電子部品によれば、第１縁部と第２縁部とが、第１縁部及び第２縁部の略中心に向って凹形状に形成されているので、実装位置がずれたとしても、近接するランドパターンと板部との距離を確保することができる。
【００１５】
請求項３に記載の電子部品によれば、金属フレーム端子の両端部が、板部と略同一平面上に位置し、第１縁部及び第２縁部がその略中心に向って凹形状に形成されているので、両端部を各縁部に近づくように配置したとしても、板部と各先端部との間の距離を確保することができる。従って、各先端部間の距離を短縮することができるので、電子部品の小型化を図ることができる。
【００１６】
請求項４に記載の電子部品によれば、端子はずれ防止片を有するので、電子部品の製造工程において、コンベアの振動に起因した端子の金属フレーム端子の各両端部に対するずれを防止することができる。従って、板部と両端部との間の距離を一定に保つことができるので、精度良く電子部品の小型化を図ることができる。更に、板部は近接する基板のパターンとの距離を保つことができる。
【００１７】
請求項５に記載の電子部品によれば、端子はかしめ片を有するので、電子部品の製造工程において、コンベアの振動に起因した端子の金属フレーム端子の各両端部に対するずれを防止することができる。従って、板部と両端部との間の距離を一定に保つことができるので、電子部品の小型化を図ることができる。更に、板部は近接する基板のパターンとの距離を保つことができる。
【００１８】
請求項６に記載の電子部品によれば、金属フレーム端子の両端部は、互いに近づくように曲げられ、第１縁部又は第２縁部に対向し、第１縁部及び第２縁部がその略中心に向って凹形状に形成されているので、板部と金属フレーム端子の両端部との間の距離を確保することができる。従って、金属フレーム端子の両端部と各縁部と間の距離を短縮することができるので、電子部品の小型化を図ることができる。
【００１９】
請求項７に記載の電子部品によれば、第１縁部又は第２縁部が、金属フレーム端子の両端縁から一定間隔の形状であるので、第１縁部及び第２縁部と両端部の外縁との間の距離を確保することができる。従って、両端縁部間の距離を短縮することができるので、電子部品の小型化を図ることができる。更に、板部は近接する基板のパターンとの距離を保つことができる。
【発明を実施するための最良の形態】
【００２０】
本発明による電子部品をノイズフィルタに適用した実施の形態について図１乃至図３に基づき説明する。図１乃至図３に示すように、ノイズフィルタ１は、コンデンサ２と、金属フレーム端子３と、第１コア４と、第２コア５と、端子６とから構成される。第１コア４及び第２コア５は、フェライト又は複合フェライト等により構成される。
【００２１】
コンデンサ２は、略直方体の形状をなしその長手方向両端部に外部電極２Ａ、２Ｂを有している。金属フレーム端子３は、コンデンサ保有部３Ａと一対の脚部３Ｂを有する。コンデンサ保有部３Ａは、略矩形状の基部３Ａ１と、基部３Ａ１の互いに対向する２辺から略垂直に延びる一対の腕部３Ａ２と、基部３Ａ１の残りの互いに対向する２辺から略垂直に延び、当該２辺の対向する方向へのコンデンサ２の移動を規制する一対の第１コンデンサ保持片３Ａ３とから構成される。
【００２２】
そして、一対の脚部３Ｂは、一対の腕部３Ａ２の端部に、腕部３Ａ２に直交し、かつ一対の腕部３Ａ２が対向する方向にそれぞれ延設されている。各脚部３Ｂは、後述する第１コア４の第１貫通穴４ａ及び第２コア５の第２貫通穴５ａに貫通する水平部３Ｂ１と、後述する第４面４Ｄ及び第８面５Ｅ（図３）に対向するように延びる外縁部３Ｂ２と、各外縁部３Ｂ２の一端から互いに近づくように曲げられ、後述する第６−１面４Ｆ（図３）及び第６−２面５Ｆ（図３）に当接する先端部３Ｂ３とにより構成されている。各先端部３Ｂ３は、後述する端子６の板部６Ａと略同一平面上に位置している。そして、外部電極２Ａと基部３Ａ１とは、クリームはんだによりはんだ付けされる。
【００２３】
第１コア４は、第１−１面４Ａと、第２−１面４Ｂと、第３−１面４Ｃ（図３）と、第４面４Ｄと、第５面４Ｅ（図３）と、第６−１面４Ｆ（図３）とにより構成される。第１−１面４Ａは、第ａ１辺と第ａ１辺に略平行に延びる第ａ２辺とを有し、第２−１面４Ｂは、第ａ１辺と交差し第ａ１辺において第１角部θ１を構成する第１傾斜面４Ｂ１と、第１中央面４Ｂ２と、第１傾斜面４Ｂ１と逆方向に傾斜する第２傾斜面４Ｂ３とにより構成される。また、第１角部θ１は９０°未満に構成される。第３−１面４Ｃは、第２−１面４Ｂと同様の構造をしており、第ａ２辺と交差し第ａ２辺において第２角部θ２を構成する第３傾斜面４Ｃ１（図３）と、第２中央面４Ｃ２（図３）と、第４傾斜面４Ｃ３（図３）とにより構成される。また、第２角部θ２は９０°未満に構成される。
【００２４】
第４面４Ｄは、第１−１面４Ａと第２−１面４Ｂと第３−１面４Ｃとに交差しており、第５面４Ｅは、第１−１面４Ａと第２−１面４Ｂと第３−１面４Ｃとに交差し、第４面４Ｄに対向し、かつ略平行である。そして、第４面４Ｄ及び第５面４Ｅの略中央には、第４面４Ｄから第５Ａ面４Ｅへ貫通する第１貫通穴４ａが形成されており、金属フレーム端子３の水平部３Ｂ１が貫通している。第６−１面４Ｆは、第ａ３辺と第ａ３辺に略平行に延びる第ａ４辺（図３）とを有し、第ａ３辺において、第６−１面４Ｆと第２傾斜面４Ｂ３とは、角度が９０°未満である第３角部θ３を構成し、第ａ４辺において、第６−１面４Ｆと第４傾斜面４Ｃ３とは、角度が９０°未満である第４角部θ４を構成している。
【００２５】
第２コア５は、第１−２面５Ａと、第２−２面５Ｂと、第３−２面５Ｃ（図３）と、第７面５Ｄと、第８面５Ｅ（図３）と、第６−２面５Ｆ（図３）とより構成される。第１−２面５Ａは、第ｂ１辺と第ｂ１辺に略平行に延びる第ｂ２辺とを有し、組み立てられた状態では、第１−１面４Ａと略同一平面上に規定されている。また、第ｂ１辺は、第ａ１辺と略同一直線上に、第ｂ２辺は、第ａ２辺と同一直線上に規定されている。
【００２６】
第２−２面５Ｂは、第ｂ１辺と交差し第ｂ１辺において第５角部θ５を構成する第５傾斜面５Ｂ１と、第２中央面５Ｂ２と、第５傾斜面５Ｂ１と逆方向に傾斜する第６傾斜面５Ｂ３とより構成される。組み立てられた状態では、第２−２面５Ｂは、第２−１面４Ｂと略同一平面上に規定されており、第５角部θ５は９０°未満に構成される。第３−２面５Ｃは、第２−２面５Ｂと同様の構造をしており、第ｂ２辺と交差し第ｂ２辺において第６角部θ６を構成する第７傾斜面５Ｃ１（図３）と、第４中央面５Ｃ２（図３）と、第８傾斜面５Ｃ３（図３）とにより構成される。組み立てられた状態では、第３−２面５Ｃは、第３−１面４Ｃと略同一平面上に規定されており、第６角部θ６は９０°未満に構成される。
【００２７】
第７面５Ｄは、第１−２面５Ａと第２−２面５Ｂと第３−２面５Ｃとに交差しており、第８面５Ｅは、第１−２面５Ａと第２−２面５Ｂと第３−２面５Ｃとに交差し、第７面５Ｄに対向している。そして、第７面５Ｄ及び第８面５Ｅの略中央には、第７面５Ｄから第８面５Ｅへ貫通する第２貫通穴５ａが形成されており、金属フレーム端子３の水平部３Ｂ１が貫通している。
【００２８】
第６−２面５Ｆは、第ｂ３辺と第ｂ３辺に略平行に延びる第ｂ４辺（図３）とを有し、組み立てられた状態では、第６−１面４Ｆと略同一平面上に規定されている。また、第ｂ３辺は、第ａ３辺と略同一直線上に、第ｂ４辺は、第ａ４辺と略同一直線上に規定されている。第ｂ３辺において、第６−２面５Ｆと第６傾斜面５Ｂ３とは、角度が９０°未満である第７角部θ７を構成し、第ｂ４辺において、第６−２面５Ｆと第８傾斜面５Ｃ３とは、角度が９０°で未満である第８角部θ８を構成している。
【００２９】
端子６は、第ａ３辺及び第ｂ３辺に略平行な第ｃ１辺と第ｃ１辺に略平行に延びる第ｃ２辺とを有し、第６−１面４Ｆの一部、第６−２面５Ｆの一部及び外部電極２Ｂ全体に対向する板部６Ａを有している。板部６Ａは、更に第２−１面４Ｂ及び第３−１面４Ｃが対向する方向に延び第６−１面４Ｆに対向する第１縁部６ａと、第２−２面５Ｂ及び第３−２面５Ｃが対向する方向に延び第６−２面５Ｆに対向する第２縁部６ｂとを有している。図４に示すように、第１縁部６ａ及び第２縁部６ｂは、第１縁部６ａ及び第２縁部６ｂの略中心に向って凹形状に形成され、かつ対向する各先端部３Ｂ３の外縁から一定間隔の形状に形成されている。
【００３０】
端子６は、更に一方の第ｃ１辺から第２傾斜面４Ｂ３に対向するように延びる第１かしめ片部６Ｂ１と、他方の第ｃ１辺から第６傾斜面５Ｂ３に対向するように延びる第２かしめ片部６Ｃ１と、一方の第ｃ２辺から第４傾斜面４Ｃ１に対向するように延びる第３かしめ片部６Ｄ１と、他方の第ｃ２辺から第８傾斜面５Ｃ１に対向するように延びる第４かしめ片部６Ｅ１とを有している。
【００３１】
また、第１かしめ片部６Ｂ１から第５面４Ｅに対向するように第１ずれ防止片６Ｂ２が延設され、第２かしめ片部６Ｃ１から第７面５Ｄに対向するように第２ずれ防止片６Ｃ２が延設され、第３かしめ片部６Ｄ１から第５面４Ｅに対向するように第３ずれ防止片６Ｄ２が延設され、第４かしめ片部６Ｅ１から第７面５Ｄに対向するように第４ずれ防止片６Ｅ２が延設されている。
【００３２】
更に、板部６Ａの第１かしめ片部６Ｂ１と第２かしめ片部６Ｃ１との略中央、及び第３かしめ片部６Ｄ１と第４かしめ片部６Ｅ１との略中央には、第１かしめ片部６Ｂ１及び第３かしめ片部６Ｄ１が対向する方向へのコンデンサ２の移動を規制する一対の第２コンデンサ保持片６Ｆが、それぞれコンデンサ２に対向するように設けられている。
【００３３】
また、端子６は、第１かしめ片部６Ｂ１と第３かしめ片部６Ｄ１との第２傾斜面４Ｂ３及び第４傾斜面４Ｃ３へのかしめと、第２かしめ片部６Ｃ１と第４かしめ片部６Ｅ１との第６傾斜面５Ｂ３及び第８傾斜面５Ｃ３へのかしめにより、第１コア４及び第２コア５を保持する。また、外部電極２Ｂと板部６Ａとは、クリームはんだによりはんだ付けされる。外部電極２Ａ及び基部３Ａ１、外部電極２Ｂ及び板部６Ａのクリームハンダによる接合は、恒温槽内において行われる。
【００３４】
そして、図５（ａ）、（ｂ）は、ノイズフィルタ１を基板上に実装した状態を示している。図中の実線は、基板上のランドパターンを示しており、点線はランドパターンに接合されるノイズフィルタ１の端子６等を示している。表面実装時には、一方の先端部３Ｂ３は、基板の第１パターン７Ａに接合され、板部６Ａは基板の第２パターン７Ｂに接合され、他方の先端部３Ｂ３は基板の第３パターン７Ｃに接合される。
【００３５】
上述のように第１縁部６ａ及び第２縁部６ｂは、第１縁部６ａ及び第２縁部６ｂの略中心に向って凹形状に形成されている。従って、図５（ｂ）に示すようにノイズフィルタ１を基板に実装したとき、実装位置が第３パターン７Ｃ側にずれたとしても、図６（ａ）、（ｂ）のような直線状の図５（ｂ）の第１縁部６ａ及び第２縁部６ｂに相当する縁部６ｃ、６ｄと比較して、板部６Ａは近接する第３パターン７Ｃとの距離を保つことができる。
【００３６】
また、先端部３Ｂ３が、板部６Ａと略同一平面上に位置するノイズフィルタ１においては、第１縁部６ａ及び第２縁部６ｂがその略中心に向って凹形状に形成されているので、各先端部３Ｂ３を各縁部６ａ、６ｂに近づくように配置したとしても、板部６Ａと各先端部３Ｂ３との間の距離（異極間距離）を確保することができる。従って、各先端部３Ｂ３間の距離を短縮することができるので、ノイズフィルタ１の小型化を図ることができる。
【００３７】
また、端子６は、各かしめ片部６Ｂ１、６Ｃ１、６Ｄ１、６Ｅ１及び各ずれ防止片６Ｂ２、６Ｃ２、６Ｄ２、６Ｅ２を有しているので、ハンダ付けのための恒温槽内におけるリフロー時において、ノイズフィルタ１の搬送中にコンベアの振動に起因した端子６の各先端部３Ｂ３に対するずれを防止することができる。従って、板部６Ａと各先端部３Ｂ３との間の距離を一定に保つことができるので、ノイズフィルタ１の小型化を図ることができる。更に、板部６は近接する基板のパターンとの距離を保つことができる。
【００３８】
また、各先端部３Ｂ３が、互いに近づくように曲げられているノイズフィルタ１においては、第１縁部６ａ及び第２縁部６ｂがその略中心に向って凹形状に形成されているので、板部６Ａと各先端部３Ｂ３との間の距離を確保することができる。従って、各先端部３Ｂ３と各縁部６ａ、６ｂと間の距離を短縮することができるので、ノイズフィルタ１の小型化を図ることができる。
【００３９】
また、第１縁部６ａ及び第２縁部６ｂは、対向する各先端部３Ｂ３の外縁から一定間隔の形状に形成されているので、第１縁部６ａ及び第２縁部６ｂと各先端部３Ｂ３の外縁との間の距離を確保することができる。従って、各先端部３Ｂ３間の距離を短縮することができるので、ノイズフィルタ１の小型化を図ることができる。更に、板部６は近接する基板のパターンとの距離を保つことができる。
【００４０】
本発明によるノイズフィルタ１は、上述した実施の形態に限定されず、特許請求の範囲に記載した範囲で種々の変形や改良が可能である。例えば、ノイズフィルタ１は、コンデンサ２を備えていたが、これに限定されずバリスタのような容量性素子であれば良い。また、クリームはんだによる接合を、恒温槽において行ったが、温度プロファイルが設定できるリフロー炉において行っても良い。
【００４１】
また、各先端部３Ｂ３の外縁と各縁部６ａ、６ｂの形状は、図４に示した形状に限定されず、図７（ａ）、（ｂ）（ｃ）（ｄ）に示したような各先端部３Ｂ３の外縁と、各縁部６ａ、６ｂとの距離を一定に保つような形状であれば良い。
【図面の簡単な説明】
【００４２】
【図１】本発明の電子部品をノイズフィルタに適用した実施の形態の斜視図。
【図２】本発明の実施の形態のノイズフィルタの分解斜視図。
【図３】本発明による実施の形態のノイズフィルタを図１の斜視側と反対側から見た斜視図。
【図４】本発明の実施の形態のノイズフィルタを実装面側から見た図。
【図５（ａ）】ノイズフィルタを基板上のパターンへ実装した状態を示した図。
【図５（ｂ）】基板上のパターンに対して実装位置がずれたときのノイズフィルタの実装状態を示した図。
【図６（ａ）】各縁部が直線状の端子を備えたノイズフィルタを基板上のパターンへ実装した状態を示した図。
【図６（ｂ）】基板上のパターンに対して実装位置がずれたときの各縁部が直線状の端子を備えたノイズフィルタの実装状態を示した図。
【図７（ａ）】端子の各縁部の形状の変更例をノイズフィルタの実装面側から見た図。
【図７（ｂ）】端子の各縁部の形状の他の変更例をノイズフィルタの実装面側から見た図。
【図７（ｃ）】端子の各縁部の形状の別の変更例をノイズフィルタの実装面側から見た図。
【図７（ｄ）】端子の各縁部の形状のその他の変更例をノイズフィルタの実装面側から見た図。
【符号の説明】
【００４３】
１    ノイズフィルタ
２    コンデンサ
２Ａ、２Ｂ  外部電極
３    金属フレーム端子
３Ｂ３  先端部
４    第１コア
４ａ  第１貫通穴
５    第２コア
５ａ  第２貫通穴
６    端子
６Ａ  板部
６Ｂ１  第１かしめ片部
６Ｃ１  第２かしめ片部
６Ｄ１  第３かしめ片部
６Ｅ１  第４かしめ片部
６ａ  第１縁部
６ｂ  第２縁部
６Ｂ２  第１ずれ防止片
６Ｃ２  第２ずれ防止片
６Ｄ２  第３ずれ防止片
６Ｅ２  第４ずれ防止片
【図１】
2005303207.tif 000003
【図２】
2005303207.tif 000004
【図３】
2005303207.tif 000005
【図４】
2005303207.tif 000006
【図５（ａ）】
2005303207.tif 000007
【図５（ｂ）】
2005303207.tif 000008
【図６（ａ）】
2005303207.tif 000009
【図６（ｂ）】
2005303207.tif 000010
【図７（ａ）】
2005303207.tif 000011
【図７（ｂ）】
2005303207.tif 000012
【図７（ｃ）】
2005303207.tif 000013
【図７（ｄ）】
2005303207.tif 000014